(57)【要約】  吸気口１４を備えた本体外郭１２を有し、本体外郭１２内に、加熱源１１、制御基板２３、およびファンユニット３０を収納する加熱調理器１０であって、ファンユニット３０が、本体外郭１２の内底に略直交する方向の回転中心線を中心として回転する遠心ファン１７と、遠心ファン１７を収納するファンケース２１とを備える。ファンケース２１は、本体外郭１２の内底に略直交する方向に方向付けされ且つ遠心ファン１７の吸気部１８に対向する空気取り込み口１９と、空気取り込み口１９を介して取り込んだ空気を吹き出す空気吹き出し口２０とを備える。ファンケース２１の空気取り込み口１９が、上方視で本体外郭１２の吸気口１４から離れており、吸気口１４から空気取り込み口１９に向かって空気の流路２４が構成されている。流路２４は、空気の流れ方向の上流側から下流側に向かうにしたがって流路断面が拡大する流路断面拡大部２４ｂを備える。
2014112386.tif 000002
【特許請求の範囲】
【請求項１】
吸気口および排気口を備えた本体外郭と、
前記本体外郭の上方に設けられた天板と、
前記本体外郭内に収納された加熱源と、
前記本体外郭内に収納され、前記加熱源を制御する制御基板と、
前記本体外郭内に収納されたファンユニットと、
前記本体外郭を支持する脚部とを有する加熱調理器であって、
前記ファンユニットが、前記本体外郭の内底に対して略直交する方向に延在する回転中心線を中心として回転する遠心ファンと、前記遠心ファンを内部に収納するファンケースとを備え、
前記ファンケースが、前記本体外郭の内底に対して略直交する方向に方向付けされ且つ前記遠心ファンの吸気部に対して対向するように形成された空気取り込み口と、前記空気取り込み口を介して取り込んだ空気を吹き出す空気吹き出し口とを備え、
前記ファンケースの空気取り込み口が、前記加熱調理器を上方から見た場合に前記本体外郭の吸気口から離れており、
前記本体外郭の吸気口から前記ファンケースの空気取り込み口に向かって空気が流れる流路が前記本体外郭内に構成され、
前記流路が、空気の流れ方向の上流側から下流側に向かうにしたがって流路断面が拡大する流路断面拡大部を備える、加熱調理器。
【請求項２】
前記本体外郭の外底に、前記本体外郭の内部に突出するようにくぼんだ凹部が形成され、
前記吸気口が前記凹部に形成されている、請求項１に記載の加熱調理器。
【請求項３】
前記凹部の奥部に、前記吸気口が形成されている、請求項２に記載の加熱調理器。
【請求項４】
前記本体外郭の内部に突出するようにくぼんだ前記凹部によって前記本体外郭の内部に傾斜部が形成され、
前記流路の流路断面拡大部が少なくとも前記傾斜部によって画定される、請求項２または３に記載の加熱調理器。
【請求項５】
前記流路が、少なくとも前記天板、前記本体外郭、および前記本体外郭内に設けられた隔壁によって画定されている、請求項１〜４のいずれか一項に記載の加熱調理器。
【請求項６】
前記空気取り込み口が、前記ファンケースの上部に設けられている、請求項１〜５のいずれか一項に記載の加熱調理器。
【請求項７】
前記本体外郭の吸気口を通過した液体の前記ファンケースの空気取り込み口内への侵入を規制するための第１の防水壁が、前記本体外郭の吸気口と前記ファンケースの空気取り込み口との間に位置するように前記ファンケースの上部に設けられている、請求項６に記載の加熱調理器。
【請求項８】
前記ファンケースの下部が前記本体外郭の内底に接触している、請求項６または７に記載の加熱調理器。
【請求項９】
前記空気取り込み口が前記ファンケースの下部に設けられ、
前記本体外郭の吸気口を通過した液体の前記ファンケースの空気取り込み口内への侵入を規制するための第２の防水壁が、前記本体外郭の吸気口と前記ファンケースの空気取り込み口との間に位置するように前記本体外郭の内底に設けられている、請求項１〜５のいずれか一項に記載の加熱調理器。
【請求項１０】
前記本体外郭の吸気口内への液体の侵入を規制するための第３の防水壁が、前記本体外郭の吸気口近傍における外側表面部分に設けられている、請求項１〜９のいずれか一項に記載の加熱調理器。
【発明の詳細な説明】
【技術分野】
【０００１】
本発明は、一般家庭の台所または業務用の厨房などで使用される加熱調理器に関する。
【背景技術】
【０００２】
一般家庭の台所または業務用の厨房などで使用される加熱調理器は、本体外郭内に収納された加熱源および制御基板などを冷却するためのファンを搭載するものが多い。例えば、特許文献１に記載の加熱調理器は、テーブルなどの載置面に載置可能あって、本体外郭の底部に形成された吸気口近傍に且つ対向するようにファンが本体外郭内に配置されている。また、特許文献２に記載の加熱調理器は、キャビネットに組み込まれる方式の加熱調理器であって、本体外郭の外部に設けられた吸気経路を介して、本体外郭の吸気口近傍に且つ対向するように配置されたファンがキャビネット内の空気を本体外郭内に吸引するように構成されている。
【先行技術文献】
【特許文献】
【０００３】
【特許文献１】特開２００６−１２０３３８号公報
【特許文献２】特開２００６−０７３４２２号公報
【発明の概要】
【発明が解決しようとする課題】
【０００４】
ところで、特許文献２に記載された加熱調理器のようにキャビネットに組み込まれる方式の加熱調理器では起こりにくいが、特許文献１に記載された加熱調理器のようにテーブルなどの載置面に載置される方式の加熱調理器の場合、加熱調理器の本体外郭内に液体が侵入する可能性がある。【０００５】
例えば、使用者が調理中に誤って、加熱調理器が載置されたテーブルなどの載置面上に液体状の調理物をこぼした場合、ファンがこぼれた液体を本体外郭内に吸引し、その吸引された液体が本体外郭内に収納された制御基板などに付着する可能性がある。本体外郭内の制御基板などに液体が付着すると、加熱調理器の耐久性が低下する可能性がある。【０００６】
この対策として、本体外郭に形成された吸気口の上方に大きく間隔をあけてファンを設けることが考えられる。しかしながら、この場合、加熱調理器の高さ方向の厚さが大きくなり、加熱調理器の薄型化の妨げになる。【０００７】
そこで、本発明は、本体外郭内に空気を吸引するファンを有する加熱調理器において、加熱調理器の薄型化を実現しつつ、加熱調理器の本体外郭内に収納された制御基板などに液体が付着することを抑制することを課題とする。
【課題を解決するための手段】
【０００８】
上記目的を達成するために、本発明は以下のように構成する。【０００９】
本発明の一態様によれば、
吸気口および排気口を備えた本体外郭と、
前記本体外郭の上方に設けられた天板と、
前記本体外郭内に収納された加熱源と、
前記本体外郭内に収納され、前記加熱源を制御する制御基板と、
前記本体外郭内に収納されたファンユニットと、
前記本体外郭を支持する脚部とを有する加熱調理器であって、
前記ファンユニットが、前記本体外郭の内底に対して略直交する方向に延在する回転中心線を中心として回転する遠心ファンと、前記遠心ファンを内部に収納するファンケースとを備え、
前記ファンケースが、前記本体外郭の内底に対して略直交する方向に方向付けされ且つ前記遠心ファンの吸気部に対して対向するように形成された空気取り込み口と、前記空気取り込み口を介して取り込んだ空気を吹き出す空気吹き出し口とを備え、
前記ファンケースの空気取り込み口が、前記加熱調理器を上方から見た場合に前記本体外郭の吸気口から離れており、
前記本体外郭の吸気口から前記ファンケースの空気取り込み口に向かって空気が流れる流路が前記本体外郭内に構成され、
前記流路が、空気の流れ方向の上流側から下流側に向かうにしたがって流路断面が拡大する流路断面拡大部を備える、加熱調理器が提供される。
【発明の効果】
【００１０】
本発明によれば、本体外郭内に空気を吸引するファンを有する加熱調理器において、加熱調理器の薄型化を実現しつつ、加熱調理器の本体外郭内に収納された制御基板などに液体が付着することを抑制することができる。
【図面の簡単な説明】
【００１１】
本発明のこれらの態様と特徴は、添付された図面についての好ましい実施の形態に関連した次の記述から明らかになる。この図面においては、
【図１】本発明の実施の形態１に係る加熱調理器の外観図
【図２】本発明の実施の形態１に係る加熱調理器の分解斜視図
【図３】本発明の実施の形態１に係る加熱調理器の断面図
【図４】本発明の実施の形態２に係る加熱調理器の断面図
【図５】本発明の実施の形態３に係る加熱調理器の断面図
【図６】本発明の実施の形態４に係る加熱調理器の断面図
【発明を実施するための形態】
【００１２】
本発明の一態様は、吸気口および排気口を備えた本体外郭と、本体外郭の上方に設けられた天板と、本体外郭内に収納された加熱源と、本体外郭内に収納され、加熱源を制御する制御基板と、本体外郭内に収納されたファンユニットと、本体外郭を支持する脚部とを有する加熱調理器であって、ファンユニットが、本体外郭の内底に対して略直交する方向に延在する回転中心線を中心として回転する遠心ファンと、遠心ファンを内部に収納するファンケースとを備え、ファンケースが、本体外郭の内底に対して略直交する方向に方向付けされ且つ遠心ファンの吸気部に対して対向するように形成された空気取り込み口と、空気取り込み口を介して取り込んだ空気を吹き出す空気吹き出し口とを備え、ファンケースの空気取り込み口が、加熱調理器を上方から見た場合に前記本体外郭の吸気口から離れており、本体外郭の吸気口からファンケースの空気取り込み口に向かって空気が流れる流路が本体外郭内に構成され、記流路が、空気の流れ方向の上流側から下流側に向かうにしたがって流路断面が拡大する流路断面拡大部を備える。
【００１３】
本発明の一態様によれば、本体外郭内に空気を吸引するファンを有する加熱調理器において、加熱調理器の薄型化を実現しつつ、加熱調理器の本体外郭内に収納された制御基板などに液体が付着することを抑制することができる。
【００１４】
加熱調理器において、本体外郭の外底に該本体外郭の内部に突出するようにくぼんだ凹部が形成され、吸気口が凹部に形成されてもよい。これにより、加熱調理器の高さ方向の厚さを増加させることなく、加熱調理器が載置されるテーブルなどの載置面から吸気口を十分に離すことができる。その結果、載置面上の液体（例えば、使用者が調理中に誤って載置面上にこぼした液体状の調理物）が吸気口を介して本体外郭内に侵入することが抑制される。
【００１５】
さらに、本体外郭の外底に形成された凹部の奥部に吸気口を形成するのが好ましい。これにより、加熱調理器が載置されるテーブルなどの載置面上の液体（例えば、使用者が調理中に誤って載置面上にこぼした液体状の調理物）が吸気口を介して本体外郭内に侵入することがさらに抑制される。
【００１６】
加熱調理器において、本体外郭の内部に突出するようにくぼんだ凹部によって本体外郭の内部に傾斜部が形成され、流路の流路断面拡大部が少なくとも傾斜部によって画定されてもよい。これにより、流路に流路断面拡大部を形成するための部材を別途用意する必要がなくなる。
【００１７】
加熱調理器において、流路が、少なくとも天板、本体外郭、および本体外郭内に設けられた隔壁によって画定されてもよい。これにより、例えば流路を形成するためのダクトなどを別途用意する必要がなくなる。
【００１８】
加熱調理器において、空気取り込み口は、ファンケースの上部に設けられているのが好ましい。これは、空気取り込み口がファンケースの下部に設けられている場合、例えば本体外郭の吸気口を通過して該本体外郭の内底に溜まった液体を、その空気取り込み口が吸引する可能性があるからである。
【００１９】
空気取り込み口がファンケースの上部に設けられている場合、本体外郭の吸気口を通過した液体のファンケースの空気取り込み口内への侵入を規制するための第１の防水壁が、本体外郭の吸気口とファンケースの空気取り込み口との間に位置するように該ファンケースの上部に設けられているのが好ましい。これにより、空気取り込み口を介して液体がファンケース内に侵入することがより抑制される。
【００２０】
空気取り込み口がファンケースの上部に設けられている場合、ファンケースの下部が本体外郭の内底に接触しているのが好ましい。これにより、天板とファンケースの上部との間に十分なスペースが確保され、それにより空気取り込み口を介して十分量の空気をファンケース内に取り込むことができる。その結果、ファンユニットの冷却能力が向上する。
【００２１】
加熱調理器において、空気取り込み口がファンケースの下部に設けられ、本体外郭の吸気口を通過した液体のファンケースの空気取り込み口内への侵入を規制するための第２の防水壁が、本体外郭の吸気口とファンケースの空気取り込み口との間に位置するように本体外郭の内底に設けられてもよい。これにより、吸気口を通過して本体外郭の内底に溜まった液体が、ファンケースの空気取り込み口に接近し、その空気取り込み口によってファンケース内に吸い込まれることが抑制される。
【００２２】
加熱調理器において、本体外郭の吸気口内への液体の侵入を規制するための第３の防水壁が、本体外郭の吸気口近傍における外側表面部分に設けられてもよい。これにより、吸気口を介して本体外郭内に液体が侵入することが抑制される。
【００２３】
以下、本発明の複数の実施の形態について、図面を参照しながら説明する。なお、本発明は、以下の複数の実施の形態に限定されない。
【００２４】
（実施の形態１）
図１は本発明の実施の形態１に係る加熱調理器の外観図，図２は本発明の実施の形態１に係る加熱調理器の分解斜視図、図３は本発明の実施の形態１に係る加熱調理器の断面図である。以下、図１〜図３を参照しながら本実施の形態１の加熱調理器を説明する。
【００２５】
本実施の形態１における加熱調理器１０は，加熱源１１と、加熱源１１などを収納する本体外郭１２と、本体外郭１２の上方に設けられた天板２９と、テーブルなどの載置面（図３における二点鎖線）に接触して本体外郭１２を支持する脚部１３とを有する。
【００２６】
加熱源１１は、天板２９上に載置されて調理物を収容したなべなどの容器を、天板２９の下方から加熱する。本体外郭１２は上方に開口を備える箱形状である。その本体外郭１２の開口を、天板２９が蓋として覆っている。
【００２７】
本体外郭１２はまた、吸気口１４および排気口１５を備える。吸気口１４は、本体外郭１２の底部に形成されている。一方、排気口１５は、本体外郭１２の側壁部に形成されている。
【００２８】
また、本実施の形態１に係る加熱調理器１０は、本体外郭１２内に収納された加熱源１１および該加熱源１１を制御する制御基板２３（それに搭載された電子部品など）を冷却するためのファンユニット３０を有する。
【００２９】
ファンユニット３０は、本体外郭１２の内底に対して略直交する方向に延在する回転中心線（図３における一点鎖線）を中心として回転する遠心ファン１７と、遠心ファン１７を内部に収納するファンケース２１とを備える。
【００３０】
ファンユニット３０は、ファンケース２１の下部が本体外郭１２の内底に接触した状態で、本体外郭１２内に収納されている。
【００３１】
ファンユニット３０の遠心ファン１７は、その中心に位置する吸気部１８を介して回転中心線の延在方向に空気１６を吸い込み、吸い込んだ空気１６を遠心方向に吹き出すように構成されている。
【００３２】
ファンケース２１は、本体外郭１２の内底に対して略直交する方向に方向付され且つ遠心ファン１７の吸気部１８に対して対向するように形成された空気取り込み口１９と、空気取り込み口１９を介して取り込んだ空気１６を冷却風として吹き出す空気吹き出し口２０と、遠心ファン１７を回転させるモータ２２とを備える。
【００３３】
ファンケース２１の空気取り込み口１９は、ファンケース２１の上部に設けられており、間隔をあけて上方の天板２９に向いている。ファンケース２１の下部が本体外郭１２の内底に接触しているため、天板２９とファンケース２１の上部との間に十分なスペースが確保され、それにより、空気取り込み口１９を介して十分量の空気１６をファンケース２１内に取り込むことができる。その結果、ファンユニット３０の冷却能力が向上する。
【００３４】
ファンケース２１の空気吹き出し口２０は、吹き出した空気１６（冷却風）が加熱源１１および制御基板２３に向かうように方向付けされている。また、空気吹き出し口２０は、本体外郭１２に形成された排気口１５に向けられている。
【００３５】
加熱調理器１０の加熱源１１が、ガス等の炎を出力するように構成された加熱源、調理物を収容した容器を誘導加熱する誘導加熱コイルを備える加熱源、または抵抗に電流を流すことによって発生するジュール熱を利用するように構成された加熱源である場合、制御基板２３およびそれに搭載された電子部品などは加熱源１１が発生した熱によって加熱される。
【００３６】
また、加熱源１１が誘導加熱コイルを備える場合，誘導加熱コイルに電流が流れることによって該誘電加熱コイル自体が発熱するとともに、制御基板の回路が待つ電気抵抗に電流が流れることによって制御基板自体が発熱する。
【００３７】
したがって、加熱源１１および制御基板２３（それに搭載された電子部品など）を、ファンユニット３０から吹き出された空気１６（冷却風）により、耐熱温度以下に温度が下がるように冷却する。
【００３８】
本実施の形態１の加熱調理器１０の場合、ファンユニット３０の遠心ファン１７が回転すると、空気１６が、本体外郭１２の外底とテーブルなどの載置面との間の隙間を流れ、本体外郭１２の底部に形成された吸気口１４を通過して本体外郭１２内に流入する。
【００３９】
吸気口１４を通過した空気１６は、ファンユニット３０のファンケース２１の空気取り込み口１９に向かって本体外郭１２内を流れる。
【００４０】
吸気口１４を通過した空気１６がファンユニット３０のファンケース２１の空気取り込み口１９に向かうように、流路２４が本体外郭１２内に形成されている。
【００４１】
具体的には、吸気口１４を通過した空気１６がファンケース２１の空気取り込み口１９に向かって流れる流路２４は、少なくとも本体外郭１２の一部、天板２９の一部、および本体外郭１２内に設けられた隔壁３１によって画定されている。隔壁３１は、吸気口１４を通過した空気１６をファンケース２１の空気取り込み口１９にガイドするように、吸気口１４と制御基板２３との間に配置されている。また、隔壁３１は、ファンケース２１の空気吹き出し口２０から吹き出された空気１６が再び空気取り込み口１９に取り込まれないように、本体外郭１２内を区分けしている。例えば、本体外郭１２の内部空間を、吸気口１４およびファンケース２１の空気取り込み口１９が存在する空間と、ファンケース２１の空気吹き出し口２０、加熱源１１、制御基板２３、および排気口１５が存在する空間とに、隔壁３１は区分けしている。
【００４２】
なお、隔壁３１は、本体外郭１２または天板２９に一体的に形成されてもよいし、本体外郭１２または天板２９に取り付けられる部材であってもよい。
【００４３】
流路２４内を流れて空気取り込み口１９を介してファンケース２１内に取り込まれた空気１６は、冷却風として、空気吹き出し口２０から加熱源１１および制御基板２３に向かって吹き出される。この空気１６（冷却風）によって加熱源１１および制御基板２３が冷却される。
【００４４】
加熱源１１および制御基板２３を冷却した後の空気１６は、本体外郭１２に形成された排気口１５を介して、本体外郭１２の外部に流出する。
【００４５】
なお、ファンケース２１の空気吹き出し口２０と本体外郭１２の排気口１５との間に加熱源１１および制御基板２３が配置されているレイアウトにより、加熱源１１および制御基板２３を冷却して温度が高い空気１６は、本体外郭１２内に滞留することなく、排気口１５を介して本体外郭１２の外部に流れ出ることができる。
【００４６】
さらに、本実施の形態１の加熱調理器１０は、本体外郭１２内に収納された加熱源１１、制御基板２３などへの液体の付着を抑制するように構成されている。例えば、使用者が調理中に誤って、加熱調理器が載置されたテーブルなどの載置面上にこぼした液体状（すなわち流動性を備える状態）の調理物が制御基板２３などに付着しないように加熱調理器１０は構成されている。
【００４７】
まず、ファンケース２１の空気取り込み口１９（すなわち遠心ファン１７の吸気部１８）が、本体外郭１２の底部に形成された吸気口１４の近傍に且つ対向するように配置されていない。具体的には、加熱調理器１０を上方から見た場合にファンケース２１の空気取り込み口１９が本体外郭１２の吸気口１４から離れた状態で、すなわち重ならないように、ファンケース２１が本体外郭１２内に収納されている。
【００４８】
これと異なり、ファンケース２１の空気取り込み口１９（遠心ファン１７の吸気部１８）が本体外郭１２の底部に形成された吸気口１４の近傍に且つ対向するように配置されている場合（すなわち上方視で重なる場合）、空気１６とともに液体がファンケース２１内に取り込まれ、空気１６とともに液体が加熱源１１および制御基板２３に吹き付けられる可能性がある。例えば、使用者が調理中に誤って、加熱調理器が載置されたテーブルなどの載置面上にこぼした液体状の調理物が加熱源１１および制御基板２３に向かって吹き付けられる可能性がある。
【００４９】
一方、本実施の形態１の加熱調理器１０のように、上方視でファンケース２１の空気取り込み口１９が本体外郭１２の吸気口１４から離れた状態の場合、必然的に吸気口１４と空気取り込み口１９との間に空気１６の流路２４が形成される。そのため、ファンケース２１の空気取り込み口１９まで液体が到達しにくい。その結果として、制御基板２３などに液体が付着されることが抑制される。
【００５０】
また、上方視でファンケース２１の空気取り込み口１９が本体外郭１２の吸気口１４から離れるようにレイアウトすることにより、加熱調理器１０の厚みの増加を抑制しつつ、吸気口１４と空気取り込み口１９との間に流路２４を設けることができる。すなわち、本体外郭１２の吸気口１４の上方に間隔をあけてファンケース２１の空気取り込み口１９を配置することによりその間に流路を形成するレイアウトに比べて、加熱調理器１０を高さ方向について薄型化することができる。具体的に言えば、上方視でファンケース２１の空気取り込み口１９が本体外郭１２の吸気口１４から離れるようにレイアウトすることにより、図３に示すように、本体外郭１２の吸気口１４とファンケース２１（遠心ファン１７）とを高さ位置についてオーバーラップさせることが可能である。例えば、図３に示すように、本体外郭１２の吸気口１４を、ファンケース２１の上部と下部との間の高さ位置に配置することが可能である。これにより、加熱調理器１０を高さ方向について薄型化することができる。
【００５１】
また、本実施の形態１の加熱調理器１０の場合、吸気口１４は、本体外郭１２の最下面に比べて上方に設けられている。それにより、加熱調理器１０が載置されたテーブルなどの載置面と本体外郭１２に形成された吸気口１４との間に十分距離を設けている。
【００５２】
発明者の実験によれば、テーブルなどの載置面（すなわち脚部１３の最下端）から本体外郭１２の吸気口１４までの距離は、４〜１０ｍｍ程度にするのが好ましい。これにより、例えば、使用者が調理中に誤って、加熱調理器１０が載置されたテーブルなどの載置面上に液体状の調理物をこぼした場合、液体状の調理物が本体外郭１２底部に設けた吸気口１４近傍に付着しにくく、また吸気口１４に侵入しにくくなる。その結果、液体状の調理物が本体外郭１２内に侵入することが抑制される。
【００５３】
例えば、図３に示すように、本体外郭１２の外底に、本体外郭１２の内部に突出するようにくぼんだ凹部３２が形成され、その凹部３２の奥部に吸気口１４が形成される。これにより、加熱調理器１０の高さ方向の厚さを増加させることなく、テーブルなどの載置面と吸気口１４とを十分な距離をあけて離すことができる。その結果、吸気口１４近傍に液体が付着することが抑制されるとともに、液体が吸気口１４に侵入することが抑制される。
【００５４】
さらに、本実施の形態１の加熱調理器１０は、空気１６とともに液体が万が一吸気口１４を通過しても、その通過した液体がファンケース２１の空気取り込み口１９に侵入しにくい構造を備える。
【００５５】
具体的には、本体外郭１２の吸気口１４からファンケース２１の空気取り込み口１９に向かう空気１６が流れる流路２４が、空気１６の流れ方向の上流側から下流側に向かうにしたがって流路断面が拡大する流路断面拡大部（後述の第２の流路部）２４ｂを備える。
【００５６】
ここで、「流路断面」とは、本体外郭１２の吸気口１４からファンケース２１の空気取り込み口１９に向かって流れる空気１６の流れ方向に対して直交する流路２４の断面を言う。
【００５７】
本実施の形態１の場合、図３に示すように、流路２４は、本体外郭１２の凹部３２と天板２９とによって画定され、吸気口１４に連通する第１の流路部２４ａと、凹部３２によって本体外郭１２の内部に形成された傾斜部２５と天板２９とによって画定された第２の流路部２４ｂと、本体外郭１２の内底と天板２９とによって画定された第３の流路部２４ｃと、ファンケース２１の上部と天板２９とによって画定された第４の流路部２４ｄとを含んでいる。
【００５８】
流路２４の第１〜第４の流路部２４ａ〜２４ｄそれぞれの幅方向のサイズは、隔壁３１と該隔壁３１と略平行な本体外郭１２の側壁部と間の距離によって決定され、またそのために略同一である（図２参照）。一方、第１〜第４の流路部２４ａ〜２４ｄそれぞれの高さ方向のサイズは異なる（図３参照）。
【００５９】
また、流路２４の第１、第３、および第４の流路部２４ａ、２４ｃ、および２４ｄそれぞれは、略一定のサイズの（略不変の）普遍流路断面を備える。これに対して、第２の流路部２４ｂの流路断面は、凹部３２の奥部から本体外郭１２の内底に向かって延在する傾斜部２５により、本体外郭１２の吸気口１４からファンケース２１の空気取り込み口１９に向かう空気１６の流れ方向の上流側から下流側に向かうにしたがって拡大する。
【００６０】
このように上流側から下流側に向かうにしたがって流路断面が拡大する第２の流路部２４ｂ内においては、空気１６の流速が減少していく（流路２４を流れる空気１６の単位時間あたりの流量が一定の場合）。空気１６の流速が減少していくと、空気１６とともに吸気口１４を介して本体外郭１２内に吸い込まれた液体の運動エネルギも減少していく。すなわち、空気１６の液体を搬送する搬送能力が減少していく。最終的には、空気１６と同伴する液体は、本体外郭１２の内底に落下する。
【００６１】
したがって、流路２４が流路断面拡大部（第２の流路部）２４ｂを備えることにより、本体外郭１２の吸気口１４を通過した液体が空気取り込み口１９を介してファンケース２１内に取り込まれることが抑制される。その結果、ファンケース２１の空気吹き出し口２０の下流側に位置する加熱源１１および制御基板２３に液体が付着することが抑制される。
【００６２】
なお、本実施の形態１の場合、本体外郭１２の内部に突出するように該本体外郭１２の外底に形成された凹部３２によって本体外郭１２内に現れた傾斜部２５により、流路２４の１つの流路断面拡大部（第２の流路部）２４ｂが画定されている。これにより、流路２４に流路断面拡大部を形成するための部材を別途用意する必要がなくなる。
【００６３】
しかしながら、これに限らず、例えば、本体外郭１２の吸気口１４からファンケース２１の空気取り込み口１９に向かって延在するダクト（図示せず）によって流路２４を形成し、そのダクトが流路断面拡大部（ダクト断面拡大部）を備えてもよい。また、流路２４の高さ方向のサイズを変えることによって流路断面を拡大することに代わって、または加えて流路２４の幅方向のサイズを変えることによって流路断面を拡大してもよい。すなわち、本発明の実施の形態は、本体外郭の吸気口からファンケースの空気取り込み口に向かって空気が流れる流路の形態を問わない。ただし、上述したように、流路２４は、例えば別途ダクト等の部材を用意して形成するよりは、本体外郭１２、天板２９、および隔壁３１を利用して画定するのが、コスト的には好ましい。
【００６４】
さらにまた、空気取り込み口１９がファンケース２１の上部に設けられているため、空気取り込み口１９を介してファンケース２１内に液体が侵入しにくい。
【００６５】
例えば、ファンケース２１の空気取り込み口１９がファンケース２１の下部に設けられている場合、特に空気取り込み口１９がファンケース２１の下部に設けられて下方に向いている場合、吸気口１４を介して本体外郭１２内に侵入して本体外郭１２の内底に溜まった液体を空気取り込む口１９がファンケース２１内に吸引する可能性がある。このことを考慮して、空気取り込み口１９が、ファンケース２１の上部に設けられている。
【００６６】
なお、ファンケース２１内への液体の侵入を考慮すると、ファンケース２１、すなわちその内部に収納された遠心ファン１７の回転中心線の延在方向の厚さは、少なくとも５ｍｍ以上であるのが好ましい。これに加えてファンユニット３０が十分量の冷却風を出力することを考慮すると、１０ｍｍ以上の厚さの遠心ファン１７が好ましい。
【００６７】
ファンユニット３０が十分量の冷却風を出力するためには、ファンケース２１内に十分量の空気１６を取り込む必要がある。そのためには、流路２４の高さ方向のサイズは、３〜５ｍｍ程度が好ましい。ただし、流路２４の高さ方向のサイズがこれより小さくても、流路２４の幅方向のサイズを増加させることにより、ファンケース２１内に十分量の空気１６を取り込むために必要な流路断面を流路２４が確保することは可能である。
【００６８】
したがって、上述したような本実施の形態１の加熱調理器１０によれば、本体外郭内に収納された制御基板２３などに液体が付着することを抑制するとともに、加熱調理器１０の薄型化を実現することができる。
【００６９】
上方視で本体外郭１２の底部に形成された吸気口１４の近傍に且つ対向するようにファンケース２１の空気取り込み口１９が配置されている場合、その加熱調理器の高さ方向の厚さは、例えば５０〜６０ｍｍ程度になりうる。一方、本実施の形態１の加熱調理器１０のように上方視で本体外郭１２の底部に形成された吸気口１４からファンケース２１の空気取り込み口１９が離れると、その加熱調理器１０の厚さを、例えば２０〜４０ｍｍ程度に、すなわち半分にすることが可能である。
【００７０】
したがって、薄型化か可能であるため、意匠性に富み、使い勝手の良い加熱調理器１０を実現することができる。
【００７１】
（実施の形態２）
図４は、本発明の実施の形態２に係る加熱調理器の断面図である。以下、図面４を参照しながら本実施の形態２の加熱調理器を説明する。本実施の形態２の加熱調理器１１０は、防水壁２６を備える点で、実施の形態１の加熱調理器１０と異なる。したがって、防水壁２６を中心に説明を行う。
【００７２】
防水壁２６は、例えば本体外郭１２の内底に形成されたリブであって、本体外郭１２の吸気口１４とファンケース２１の空気取り込み口１９との間に位置する。防水壁２６は、隔壁３１から該隔壁３１に対向する本体外郭１２の側壁部まで延在する（図２参照）。
【００７３】
防水壁２６は、本体外郭１２の吸気口１４を通過した液体がファンケース２１の空気取り込み口１９に侵入することを規制する。
【００７４】
例えば、防水壁２６により、本体外郭１２の吸気口１４を通過した液体を本体外郭１２の内底上に貯めることができる。また例えば、本体外郭１２の内底上の液体がファンケース２１に接近することが防水壁２６によって抑制される。それにより、空気取り込み口１９を介してファンケース２１内に液体が侵入することが抑制される。その結果、ファンケース２１の空気吹き出し口２０から空気１６（冷却風）とともに液体が加熱源１１および制御基板２３に向かって吹き出されることが抑制される。すなわち、制御基板２３などに液体が付着することが抑制される。
【００７５】
なお、この本体外郭１２の内底に設けられる防水壁２６は、空気取り込み口１９がファンケース２１の上部に設けられている場合にも有益であるが、特には空気取り込み口１９がファンケース２１の下部に設けられている別の実施の形態（実施の形態２の改良形態）に係る加熱調理器にも有益である。
【００７６】
すなわち、空気取り込み口１９がファンケース２１の下部に設けられている場合、吸気口１４を介して侵入して本体外郭１２の内底上に貯まった液体を空気取り込み口１９が吸い上げる可能性がある。そこで、本体外郭１２の内底上の液体がファンケース２１の空気取り込み口１９に接近しないように防水壁２６を設けることにより、ファンケース２１内に液体が吸い込まれることを抑制することができる。
【００７７】
（実施の形態３）
図５は、本発明の実施の形態３に係る加熱調理器の断面図である。以下、図面５を参照しながら本実施の形態３の加熱調理器２１０を説明する。本実施の形態３の加熱調理器２１０は、防水壁２７を備える点で、実施の形態１の加熱調理器１０と異なる。したがって、防水壁２７を中心に説明を行う。
【００７８】
防水壁２７は、空気取り込み口１９が設けられたファンケース２１の上部に設けられており、例えばリブである。また、防水壁２７は、本体外郭１２の吸気口１４とファンケース２１の空気取り込み口１９との間に位置する。例えば、空気取り込み口１９の周囲を囲むように防水壁２７を設けてもよい。
【００７９】
防水壁２７は、本体外郭１２の吸気口１４を通過した液体がファンケース２１の空気取り込み口１９に侵入することを規制する。
【００８０】
例えば、防水壁２７により、ファンケース２１の上部に付着した液体がファンケース２１の表面に沿って移動して空気取り込み口１９に吸い込まれることが抑制される。それにより、空気取り込み口１９を介してファンケース２１内に液体が侵入することが抑制される。その結果、ファンケース２１の空気吹き出し口２０から空気１６（冷却風）とともに液体が加熱源１１および制御基板２３に向かって吹き出されることが抑制される。すなわち、制御基板２３などに液体が付着することが抑制される。
【００８１】
（実施の形態４）
図６は、本発明の実施の形態４に係る加熱調理器の断面図である。以下、図面６を参照しながら本実施の形態４の加熱調理器を説明する。本実施の形態４の加熱調理器３１０は、防水壁２８を備える点で、実施の形態１の加熱調理器１０と異なる。したがって、防水壁２８を中心に説明を行う。
【００８２】
防水壁２８は、本体外郭１２の吸気口１４近傍における外側表面部分に設けられており、例えばリブである。例えば、防水壁２８は、本体外郭１２の吸気口１４の周囲を囲むように設けられてもよい。
【００８３】
防水壁２８は、本体外郭１２の吸気口１４への液体の侵入を規制する。
【００８４】
例えば、防水壁２８により、本体外郭１２の外底に付着した液体がその外底に沿って移動して吸気口１４に吸い込まれることが抑制される。それにより、吸気口１４を通過した液体が空気取り込み口１９を介してファンケース２１内に侵入することが抑制される。その結果、ファンケース２１の空気吹き出し口２０から空気１６（冷却風）とともに液体が加熱源１１および制御基板２３に向かって吹き出されることが抑制される。すなわち、制御基板２３などに液体が付着することが抑制される。
【００８５】
以上、実施の形態１〜４を挙げて本発明を説明したが、本発明はこれらに限定されない。
【００８６】
例えば、図２および３に示すように、本体外郭１２の内部に突出するように該本体外郭１２の外底に形成された凹部３２の奥部に吸気口１４が形成されているが、本発明の実施の形態はこれに限定されない。これに代わってまたはこれに加えて、吸気口１４を、凹部３２の奥部と本体外郭１２の底部との間の凹部３２の部分に形成してもよい。または、凹部３２を設けることなく、本体外郭１２の底部に形成してもよいし、または側壁部に形成してもよいし、もしくは底部と側壁部に形成してもよい。
【００８７】
しかしながら、本体外郭１２内に収納された加熱源１１および制御基板２３（それに搭載された電子部品など）を十分に冷却する必要がある場合には、本体外郭１２の内部に十分量の空気を取り込む必要がある。そのためには、吸気口１４は十分な大きさの開口面積を備える必要がある。開口面積が十分に大きい吸気口１４を、その吸気口１４を介する液体の侵入を抑制しつつ、薄型化された加熱調理器に設ける場合、吸気口１４は本体外郭１２の側壁部よりは底部に設けることが好ましく、さらには上述の実施の形態のように外底に形成された凹部３２の奥部に設けることが好ましい。
【００８８】
また、例えば、実施の形態２〜４の加熱調理器１１０、２１０、３１０それぞれ、防水壁２６、２７、２８を有するが、本発明の実施の形態に係る加熱調理器は、これらの防水壁２６、２７、および２８の少なくとも１つを有してもよい。
【００８９】
本発明は、添付図面を参照しながら好ましい実施の形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【００９０】
２０１３年１月２１日に出願された日本特許出願第２０１３−００８１３８号の明細書、図面、及び特許請求の範囲の開示内容は、全体として参照されて本明細書の中に取り入れられるものである。
【産業上の利用可能性】
【００９１】
本発明は、本体外郭内に冷却すべき制御基板などが収納され、そのために本体外郭内に空気を吸引するファンを有する加熱調理器に適用可能である。
【符号の説明】
【００９２】
１０        加熱調理器
１１        加熱源
１２        本体外郭
１３        脚
１４        吸気口
１５        排気口
１６        空気
１７        遠心ファン
１８        吸気部
１９        空気取り込み口
２０        空気吹き出し口
２１        ファンケース
２２        モータ
２３        制御基板
２４        流路
２５        傾斜部
２６        第１の防水壁
２７        第２の防水壁
２８        第３の防水壁
２９        天板
３０        ファンユニット
３１        隔壁
３２        凹部
【図１】
2014112386.tif 000003
【図２】
2014112386.tif 000004
【図３】
2014112386.tif 000005
【図４】
2014112386.tif 000006
【図５】
2014112386.tif 000007
【図６】
2014112386.tif 000008
【国際調査報告】
2014112386.tif 000009
2014112386.tif 000010
2014112386.tif 000011
2014112386.tif 000012